(57)【要約】【課題】登録された機器の抵抗値と実際の抵抗値との差があったとしても直流抵抗分布を精度良く得る。【解決手段】灯火回路抵抗測定システムは、灯火回路部１４に対して、直流抵抗算出装置１０を接続している。直流抵抗算出装置１０は、直流抵抗算出部１ａと、直流抵抗計２と、直流電源３と、電圧計４ａ，４ｂと、装置切替部５と、スイッチＳ１〜Ｓ６と、を具備している。直流抵抗算出部１ａは、直流抵抗計２から直流抵抗の情報を得る直流抵抗計測部６と、電圧計４ａ，４ｂから電圧ＶＡ，ＶＢを得る電圧計測部７と、スイッチＳ１〜Ｓ６及び装置切替部５に対して切替指令を発してスイッチを切替えるスイッチ切替部８と、回路の抵抗値、電圧値及びスイッチの状態から回路の直流抵抗を算出する抵抗算出部９と、を備えている。【選択図】図１
2014112498.tif 000002
【特許請求の範囲】
【請求項１】
ループ状に形成されたケーブルに複数の光源が接続された光源回路と、
前記光源回路全体の抵抗を計測する直流抵抗計測器と、
前記光源回路に直流電圧を印加する直流電源と、
接続した前記直流電源と前記光源回路の端子電圧を検出する電圧計測器と、
前記光源回路と前記直流抵抗計測器又は前記光源回路と前記直流電源に接続を切り替える装置切替部と、
前記光源回路の任意の箇所に接続される複数の開閉器と、
前記光源回路の直流抵抗を算出するための直流抵抗算出部と、
を具備し、
前記直流抵抗算出部は、前記直流抵抗計測器から前記光源回路全体の直流抵抗値を得る直流抵抗計測部と、
前記直流電源より前記光源回路に直流電圧が印加された場合に、前記開閉器により接続された前記光源回路の一部分の電圧値を前記電圧計測器から得る電圧計測部と、
前記光源回路全体の直流抵抗値、前記光源回路の一部分の電圧値、及び前記直流電源の電圧値から前記光源回路の直流抵抗を算出する抵抗算出部と、
を備えていることを特徴とする光源回路の直流抵抗測定システム。
【請求項２】
ループ状に形成されたケーブルに複数の光源が接続された光源回路と、
前記光源回路全体の抵抗を計測する直流抵抗計測器と、
前記光源回路に直流電圧を印加する直流電源と、
前記光源回路と前記直流抵抗計測器又は前記光源回路と前記直流電源に接続を切り替える装置切替部と、
前記光源回路の任意の箇所及び前記直流電源に接続される電圧計測器と、
前記光源回路の直流抵抗を算出するための直流抵抗算出部と、
を具備し、
前記直流抵抗算出部は、前記直流抵抗計測器から前記光源回路全体の直流抵抗値を得る直流抵抗計測部と、
前記直流電源より回路に直流電圧が印加された場合に、前記光源回路の一部分の電圧値を前記電圧計測器から得る電圧計測部と、
前記光源回路全体の直流抵抗値、前記光源回路の一部分の電圧値、及び前記直流電源の電圧値から前記光源回路の直流抵抗を算出する抵抗算出部と、
を備えていることを特徴とする光源回路の直流抵抗測定システム。
【請求項３】
ループ状に形成されたケーブルに複数の光源が接続された光源回路と、
前記光源回路に直流電圧を印加する直流電源と、
前記光源回路と前記直流電源とに接続を切り替える装置切替部と、
前記光源回路の任意の箇所に接続される電力計測器と、
前記直流電源に接続され前記光源回路全体の電流値を計測する電流計測器と、
前記光源回路の直流電流を算出するための直流抵抗算出部と、
を具備し、
前記直流抵抗算出部は、前記直流電流計測器から前記光源回路全体の直流電流値を得る電流計測部と、
前記直流電源より前記光源回路に直流電圧が印加された場合に、前記光源回路の一部分の電力値を前記電力計測器から得る電力計測部と、
前記光源回路全体の直流電流値、前記光源回路の一部分の電力値、及び前記直流電源の電圧値から前記光源回路の直流抵抗を算出する抵抗算出部と、
を備えていることを特徴とする光源回路の直流抵抗測定システム。
【請求項４】
前記直流抵抗算出部は、さらに、前記装置切替部に対して切替指令を発して前記光源回路に接続する機器を切替えるスイッチ切替部を備えていることを特徴とする請求項１〜３のいずれか１項記載の光源回路の直流抵抗測定システム。
【請求項５】
ループ状に形成されたケーブルに複数の光源が接続された光源回路全体の抵抗を計測する直流抵抗計測器と、
前記光源回路に直流電圧を印加する直流電源と、
接続した前記直流電源と前記光源回路の端子電圧を検出する電圧計測器と、
前記光源回路と前記直流抵抗計測器又は前記光源回路と前記直流電源に接続を切り替える装置切替部と、
前記光源回路の任意の箇所に接続される複数の開閉器と、
前記光源回路の直流抵抗を算出するための直流抵抗算出部と、
を具備し、
前記直流抵抗算出部は、前記直流抵抗計測器から前記光源回路全体の直流抵抗値を得る直流抵抗計測部と、
前記直流電源より前記光源回路に直流電圧が印加された場合に、前記開閉器により接続された前記光源回路の一部分の電圧値を前記電圧計測器から得る電圧計測部と、
前記光源回路全体の直流抵抗値、前記光源回路の一部分の電圧値、及び前記直流電源の電圧値から前記光源回路の直流抵抗を算出する抵抗算出部と、
を備えていることを特徴とする光源回路の直流抵抗測定装置。
【請求項６】
ループ状に形成されたケーブルに複数の光源が接続された光源回路全体の抵抗を計測する直流抵抗計測器と、
前記光源回路に直流電圧を印加する直流電源と、
前記光源回路と前記直流抵抗計測器又は前記光源回路と前記直流電源に接続を切り替える装置切替部と、
前記光源回路の任意の箇所及び前記直流電源に接続される電圧計測器と、
前記光源回路の直流抵抗を算出するための直流抵抗算出部と、
を具備し、
前記直流抵抗算出部は、前記直流抵抗計測器から前記光源回路全体の直流抵抗値を得る直流抵抗計測部と、
前記直流電源より回路に直流電圧が印加された場合に、前記光源回路の一部分の電圧値を前記電圧計測器から得る電圧計測部と、
前記光源回路全体の直流抵抗値、前記光源回路の一部分の電圧値、及び前記直流電源の電圧値から前記光源回路の直流抵抗を算出する抵抗算出部と、
を備えていることを特徴とする光源回路の直流抵抗測定装置。
【請求項７】
ループ状に形成されたケーブルに複数の光源が接続された光源回路に直流電圧を印加する直流電源と、
前記光源回路と前記直流電源とに接続を切り替える装置切替部と、
前記光源回路の任意の箇所に接続される電力計測器と、
前記直流電源に接続され前記光源回路全体の電流値を計測する電流計測器と、
前記光源回路の直流電流を算出するための直流抵抗算出部と、
を具備し、
前記直流抵抗算出部は、前記直流電流計測器から前記光源回路全体の直流電流値を得る電流計測部と、
前記直流電源より前記光源回路に直流電圧が印加された場合に、前記光源回路の一部分の電力値を前記電力計測器から得る電力計測部と、
前記光源回路全体の直流電流値、前記光源回路の一部分の電力値、及び前記直流電源の電圧値から前記光源回路の直流抵抗を算出する抵抗算出部と、
を備えていることを特徴とする光源回路の直流抵抗測定装置。
【請求項８】
ループ状に形成されたケーブルに複数の光源が接続された光源回路の直流抵抗測定方法であって、
前記光源回路全体の抵抗を計測する直流抵抗計測器と、
前記光源回路に直流電圧を印加する直流電源と、
接続した前記直流電源と前記光源回路の端子電圧を検出する電圧計測器と、
前記光源回路と前記直流抵抗計測器又は前記光源回路と前記直流電源に接続を切り替える装置切替部と、
前記光源回路の任意の箇所に接続される複数の開閉器と、
前記光源回路の直流抵抗を算出するための直流抵抗算出部と、を用い、
前記直流抵抗計測器から前記光源回路全体の直流抵抗値を得る直流抵抗計測工程と、
前記直流電源より前記光源回路に直流電圧を印加し、前記開閉器により接続された前記光源回路の一部分の電圧値を前記電圧計測器から得る電圧計測工程と、
前記光源回路全体の直流抵抗値、前記光源回路の一部分の電圧値、及び前記直流電源の電圧値から前記光源回路の直流抵抗を算出する抵抗算出工程と、
を有することを特徴とする光源回路の直流抵抗測定方法。
【請求項９】
ループ状に形成されたケーブルに複数の光源が接続された光源回路の直流抵抗測定方法であって、
前記光源回路全体の抵抗を計測する直流抵抗計測器と、
前記光源回路に直流電圧を印加する直流電源と、
前記光源回路と前記直流抵抗計測器又は前記光源回路と前記直流電源に接続を切り替える装置切替部と、
前記光源回路の任意の箇所及び前記直流電源に接続される電圧計測器と、
前記光源回路の直流抵抗を算出するための直流抵抗算出部と、を用い、
前記直流抵抗計測器から前記光源回路全体の直流抵抗値を得る直流抵抗計測工程と、
前記直流電源より前記光源回路に直流電圧を印加し、前記光源回路の一部分の電圧値を前記電圧計測器から得る電圧計測工程と、
前記光源回路全体の直流抵抗値、前記光源回路の一部分の電圧値、及び前記直流電源の電圧値から前記光源回路の直流抵抗を算出する抵抗算出工程と、
を有することを特徴とする光源回路の直流抵抗測定方法。
【請求項１０】
ループ状に形成されたケーブルに複数の光源が接続された光源回路の直流抵抗測定方法であって、
前記光源回路に直流電圧を印加する直流電源と、
前記光源回路と前記直流電源とに接続を切り替える装置切替部と、
前記光源回路の任意の箇所に接続される電力計測器と、
前記直流電源に接続され前記光源回路全体の電流値を計測する電流計測器と、
前記光源回路の直流電流を算出するための直流抵抗算出部と、を用い、
前記直流電流計測器から前記光源回路全体の直流電流値を得る電流計測工程と、
前記直流電源より前記光源回路に直流電圧を印加し、前記光源回路の一部分の電力値を前記電力計測器から得る電力計測工程と、
前記光源回路全体の直流電流値、前記光源回路の一部分の電力値、及び前記直流電源の電圧値から前記光源回路の直流抵抗を算出する抵抗算出工程と、
を有することを特徴とする光源回路の直流抵抗測定方法。
【請求項１１】
前記開閉器、前記電圧計測器、又は前記電力計測器を直流抵抗測定時のみ前記光源回路に対して接続することを特徴とする請求項８〜１０のいずれか１項に記載の光源回路の直流抵抗測定方法。
【発明の詳細な説明】
【技術分野】
【０００１】
本発明の実施形態は、ループ状に接続された灯火または照明等の光源回路の直流抵抗を測定するシステム、測定装置及び測定方法に関する。
【背景技術】
【０００２】
空港には、滑走路を中心として、航空機誘導のための灯火が設置されている。これらの灯火は、一般的に、地中に埋設されたケーブルを介して電源から電力の供給がなされている。
【０００３】
図１１に、空港で用いられている従来の灯火回路の直流抵抗測定システム（以下、「灯火回路抵抗測定システム」と記す）の構成を示す。
この灯火回路抵抗測定システム１００では、複数の灯火部１１がそれぞれゴムトランス１２を介して地中に埋設されたケーブル１３と接続され、ケーブル１３によりループ状に回路が形成されて灯火回路部１４を構成している。灯火回路部１４は、ケーブル１３を介して定電流電源１５と接続されている。
【０００４】
また、ゴムトランス１２とケーブル１３の接続点にはマンホールが設けられ、メンテナンス者がアクセス可能となっている。また、２つのゴムトランス１２，１２間のケーブル１３の距離は、３０ｍ〜１００ｍ程度に設定されている。
【０００５】
灯火回路抵抗測定システム１００では、回路構成がループ状であるため、定電流電源１５に接続されるケーブル１３の両端の直流抵抗を計測することにより、回路全体の直流抵抗を計測することができる。
【先行技術文献】
【特許文献】
【０００６】
【特許文献１】特開２０１１−１４２０２６号公報
【発明の概要】
【発明が解決しようとする課題】
【０００７】
灯火回路抵抗測定システム１００の抵抗分布は、灯火部１１に使用されるゴムトランス１２の直流抵抗と、工事図面から推定されるケーブル１３の長さと抵抗（Ω／ｋｍ）から計算することができる。
【０００８】
しかしながら、ケーブル１３は、一般に、取り回しなどを考慮して余裕を持って敷設される。また、接続変更や誤り等の要因により図面と実際の敷設状況に差異が生じることがある。このため、算出された抵抗値と実際の抵抗値にずれが発生する場合があった。
【０００９】
また、ゴムトランス１２は地下のマンホール内に設置されることが多いため、マンホールから敷設状況の確認を行うことができるが、ゴムトランス１２をつなぐケーブル１３は長距離でかつ地下埋設式であり、調査には時間と手間が掛かってしまう。
【００１０】
本発明の実施形態は、登録された機器の抵抗値と実際の抵抗値との差があったとしても直流抵抗分布を精度良く得ることができる光源回路の直流抵抗測定システム、測定装置及び測定方法を提供することを目的とする。
【課題を解決するための手段】
【００１１】
上述の目的を達成するため、本発明の実施形態に係る光源回路の直流抵抗測定システムは、ループ状に形成されたケーブルに複数の光源が接続された光源回路と、前記光源回路全体の抵抗を計測する直流抵抗計測器と、前記光源回路に直流電圧を印加する直流電源と、接続した前記直流電源と前記光源回路の端子電圧を検出する電圧計測器と、前記光源回路と前記直流抵抗計測器又は前記光源回路と前記直流電源に接続を切り替える装置切替部と、前記光源回路の任意の箇所に接続される複数の開閉器と、前記光源回路の直流抵抗を算出するための直流抵抗算出部と、を具備し、前記直流抵抗算出部は、前記直流抵抗計測器から前記光源回路全体の直流抵抗値を得る直流抵抗計測部と、前記直流電源より前記光源回路に直流電圧が印加された場合に、前記開閉器により接続された前記光源回路の一部分の電圧値を前記電圧計測器から得る電圧計測部と、前記光源回路全体の直流抵抗値、前記光源回路の一部分の電圧値、及び前記直流電源の電圧値から前記光源回路の直流抵抗を算出する抵抗算出部と、を備えていることを特徴とする。
【００１２】
また、本発明の実施形態に係る光源回路の直流抵抗測定システムは、ループ状に形成されたケーブルに複数の光源が接続された光源回路と、前記光源回路全体の抵抗を計測する直流抵抗計測器と、前記光源回路に直流電圧を印加する直流電源と、前記光源回路と前記直流抵抗計測器又は前記光源回路と前記直流電源に接続を切り替える装置切替部と、前記光源回路の任意の箇所及び前記直流電源に接続される電圧計測器と、前記光源回路の直流抵抗を算出するための直流抵抗算出部と、を具備し、前記直流抵抗算出部は、前記直流抵抗計測器から前記光源回路全体の直流抵抗値を得る直流抵抗計測部と、前記直流電源より回路に直流電圧が印加された場合に、前記光源回路の一部分の電圧値を前記電圧計測器から得る電圧計測部と、前記光源回路全体の直流抵抗値、前記光源回路の一部分の電圧値、及び前記直流電源の電圧値から前記光源回路の直流抵抗を算出する抵抗算出部と、を備えていることを特徴とする。
【００１３】
さらに、本発明の実施形態に係る光源回路の直流抵抗測定システムは、ループ状に形成されたケーブルに複数の光源が接続された光源回路と、前記光源回路に直流電圧を印加する直流電源と、前記光源回路と前記直流電源とに接続を切り替える装置切替部と、前記光源回路の任意の箇所に接続される電力計測器と、前記直流電源に接続され前記光源回路全体の電流値を計測する電流計測器と、前記光源回路の直流電流を算出するための直流抵抗算出部と、を具備し、前記直流抵抗算出部は、前記直流電流計測器から前記光源回路全体の直流電流値を得る電流計測部と、前記直流電源より前記光源回路に直流電圧が印加された場合に、前記光源回路の一部分の電力値を前記電力計測器から得る電力計測部と、前記光源回路全体の直流電流値、前記光源回路の一部分の電力値、及び前記直流電源の電圧値から前記光源回路の直流抵抗を算出する抵抗算出部と、を備えていることを特徴とする。
【００１４】
上述の目的を達成するため、本発明の実施形態に係る光源回路の直流抵抗測定装置は、ループ状に形成されたケーブルに複数の光源が接続された光源回路全体の抵抗を計測する直流抵抗計測器と、前記光源回路に直流電圧を印加する直流電源と、接続した前記直流電源と前記光源回路の端子電圧を検出する電圧計測器と、前記光源回路と前記直流抵抗計測器又は前記光源回路と前記直流電源に接続を切り替える装置切替部と、前記光源回路の任意の箇所に接続される複数の開閉器と、前記光源回路の直流抵抗を算出するための直流抵抗算出部と、を具備し、前記直流抵抗算出部は、前記直流抵抗計測器から前記光源回路全体の直流抵抗値を得る直流抵抗計測部と、前記直流電源より前記光源回路に直流電圧が印加された場合に、前記開閉器により接続された前記光源回路の一部分の電圧値を前記電圧計測器から得る電圧計測部と、前記光源回路全体の直流抵抗値、前記光源回路の一部分の電圧値、及び前記直流電源の電圧値から前記光源回路の直流抵抗を算出する抵抗算出部と、を備えていることを特徴とする。
【００１５】
また、本発明の実施形態に係る光源回路の直流抵抗測定装置は、ループ状に形成されたケーブルに複数の光源が接続された光源回路全体の抵抗を計測する直流抵抗計測器と、前記光源回路に直流電圧を印加する直流電源と、前記光源回路と前記直流抵抗計測器又は前記光源回路と前記直流電源に接続を切り替える装置切替部と、前記光源回路の任意の箇所及び前記直流電源に接続される電圧計測器と、前記光源回路の直流抵抗を算出するための直流抵抗算出部と、を具備し、前記直流抵抗算出部は、前記直流抵抗計測器から前記光源回路全体の直流抵抗値を得る直流抵抗計測部と、前記直流電源より回路に直流電圧が印加された場合に、前記光源回路の一部分の電圧値を前記電圧計測器から得る電圧計測部と、前記光源回路全体の直流抵抗値、前記光源回路の一部分の電圧値、及び前記直流電源の電圧値から前記光源回路の直流抵抗を算出する抵抗算出部と、を備えていることを特徴とする。
【００１６】
さらに、本発明の実施形態に係る光源回路の直流抵抗測定装置は、ループ状に形成されたケーブルに複数の光源が接続された光源回路に直流電圧を印加する直流電源と、前記光源回路と前記直流電源とに接続を切り替える装置切替部と、前記光源回路の任意の箇所に接続される電力計測器と、前記直流電源に接続され前記光源回路全体の電流値を計測する電流計測器と、前記光源回路の直流電流を算出するための直流抵抗算出部と、を具備し、前記直流抵抗算出部は、前記直流電流計測器から前記光源回路全体の直流電流値を得る電流計測部と、前記直流電源より前記光源回路に直流電圧が印加された場合に、前記光源回路の一部分の電力値を前記電力計測器から得る電力計測部と、前記光源回路全体の直流電流値、前記光源回路の一部分の電力値、及び前記直流電源の電圧値から前記光源回路の直流抵抗を算出する抵抗算出部と、を備えていることを特徴とする。
【００１７】
上述の目的を達成するため、本発明の実施形態に係る光源回路の直流抵抗測定方法は、ループ状に形成されたケーブルに複数の光源が接続された光源回路の直流抵抗測定方法であって、前記光源回路全体の抵抗を計測する直流抵抗計測器と、前記光源回路に直流電圧を印加する直流電源と、接続した前記直流電源と前記光源回路の端子電圧を検出する電圧計測器と、前記光源回路と前記直流抵抗計測器又は前記光源回路と前記直流電源に接続を切り替える装置切替部と、前記光源回路の任意の箇所に接続される複数の開閉器と、前記光源回路の直流抵抗を算出するための直流抵抗算出部と、を用い、前記直流抵抗計測器から前記光源回路全体の直流抵抗値を得る直流抵抗計測工程と、前記直流電源より前記光源回路に直流電圧を印加し、前記開閉器により接続された前記光源回路の一部分の電圧値を前記電圧計測器から得る電圧計測工程と、前記光源回路全体の直流抵抗値、前記光源回路の一部分の電圧値、及び前記直流電源の電圧値から前記光源回路の直流抵抗を算出する抵抗算出工程と、を有することを特徴とする。
【００１８】
また、本発明の実施形態に係る光源回路の直流抵抗測定方法は、ループ状に形成されたケーブルに複数の光源が接続された光源回路の直流抵抗測定方法であって、前記光源回路全体の抵抗を計測する直流抵抗計測器と、前記光源回路に直流電圧を印加する直流電源と、前記光源回路と前記直流抵抗計測器又は前記光源回路と前記直流電源に接続を切り替える装置切替部と、前記光源回路の任意の箇所及び前記直流電源に接続される電圧計測器と、前記光源回路の直流抵抗を算出するための直流抵抗算出部と、を用い、前記直流抵抗計測器から前記光源回路全体の直流抵抗値を得る直流抵抗計測工程と、前記直流電源より前記光源回路に直流電圧を印加し、前記光源回路の一部分の電圧値を前記電圧計測器から得る電圧計測工程と、前記光源回路全体の直流抵抗値、前記光源回路の一部分の電圧値、及び前記直流電源の電圧値から前記光源回路の直流抵抗を算出する抵抗算出工程と、を有することを特徴とする。
【００１９】
さらに、本発明の実施形態に係る光源回路の直流抵抗測定方法は、ループ状に形成されたケーブルに複数の光源が接続された光源回路の直流抵抗測定方法であって、前記光源回路に直流電圧を印加する直流電源と、前記光源回路と前記直流電源とに接続を切り替える装置切替部と、前記光源回路の任意の箇所に接続される電力計測器と、前記直流電源に接続され前記光源回路全体の電流値を計測する電流計測器と、前記光源回路の直流電流を算出するための直流抵抗算出部と、を用い、前記直流電流計測器から前記光源回路全体の直流電流値を得る電流計測工程と、前記直流電源より前記光源回路に直流電圧を印加し、前記光源回路の一部分の電力値を前記電力計測器から得る電力計測工程と、前記光源回路全体の直流電流値、前記光源回路の一部分の電力値、及び前記直流電源の電圧値から前記光源回路の直流抵抗を算出する抵抗算出工程と、を有することを特徴とする。
【図面の簡単な説明】
【００２０】
【図１】本発明の第１の実施形態に係る灯火回路抵抗測定システムの全体構成を示す概略図である。
【図２】第１の実施形態に係る直流抵抗算出装置の処理手順を示すフローチャートである。
【図３】第２の実施形態に係る直流抵抗算出装置の処理手順を示すフローチャートである。
【図４】本発明の第３の実施形態に係る灯火回路抵抗測定システムの全体構成を示す概略図である。
【図５】本発明の第４の実施形態に係る灯火回路抵抗測定システムの全体構成を示す概略図である。
【図６】第４の実施形態に係る直流抵抗算出装置の処理手順を示すフローチャートである。
【図７】本発明の第５の実施形態に係る灯火回路抵抗測定システムの全体構成を示す概略図である。
【図８】本発明の第６の実施形態に係る灯火回路抵抗測定システムの全体構成を示す概略図である。
【図９】第６の実施形態に係る直流抵抗算出装置の処理手順を示すフローチャートである。
【図１０】本発明の第７の実施形態に係る灯火回路抵抗測定システムの全体構成を示す概略図である。
【図１１】従来の空港の灯火回路抵抗測定システムの全体構成を示す概略図である。
【発明を実施するための形態】
【００２１】
以下、本発明の実施形態について、図面を参照して説明する。
【００２２】
[第１の実施形態]
（全体構成）
図１に、本発明の第１の実施形態に係る灯火回路の直流抵抗測定システム（以下、「灯火回路抵抗測定システム」と記す）の全体構成を示す。
【００２３】
本実施形態に係る灯火回路抵抗測定システムは、図１１に示す構造を有し被測定部分となる灯火回路部１４に対して、直流抵抗算出装置１０を接続して構成されている。
【００２４】
（直流抵抗算出装置１０）
直流抵抗算出装置１０は、直流抵抗を算出するための直流抵抗算出部１ａと、灯火回路部１４の抵抗を計測する直流抵抗計２と、灯火回路部１４に直流電圧を印加する直流電源３と、接続した直流電源３と灯火回路部１４の端子電圧を検出する電圧計４ａ，４ｂと、灯火回路部１４と機器との接続を切り替える装置切替部５と、灯火回路部１４及び対地間に接続されるスイッチＳ１〜Ｓ６と、を具備している。
【００２５】
（直流抵抗算出部１ａ）
直流抵抗算出部１ａは、直流抵抗計２から直流抵抗の情報を得る直流抵抗計測部６と、電圧計４ａ，４ｂから電圧ＶＡ，ＶＢを得る電圧計測部７と、スイッチＳ１〜Ｓ６及び装置切替部５に対して切替指令を発してスイッチを切替えるスイッチ切替部８と、回路の抵抗値、電圧値及びスイッチの状態から回路の直流抵抗を算出する抵抗算出部９と、を備えている。
【００２６】
（スイッチＳ１〜Ｓ６）
スイッチＳ１〜Ｓ６は、マンホール内に設置されており、ケーブル１３の任意の箇所に設けることができるが、特に正確な抵抗分布が必要となる部分や回路の構成が複雑な部分の近くに設けることが好ましい。
【００２７】
（作用）
上記構成を有する直流抵抗算出装置１０の処理手順を図２に従って説明する。
【００２８】
まず、オペレータにより動作入力がなされると、直流抵抗算出部１ａのスイッチ切替部８が装置切替部５に対して切換指令を発し、接続を定電流電源１５から直流抵抗計２に切替える（ステップＳ１）。
【００２９】
次に、直流抵抗計測部６が直流抵抗計２を動作させて灯火回路部１４の直流抵抗（ＲＡＬＬ）を計測する（ステップＳ２）。
計測後、スイッチ切替部８が装置切替部５に対して切換指令を発し、接続を直流抵抗計２から直流電源３に切替える（ステップＳ３）。
【００３０】
切替え後、スイッチ切替部８は灯火回路部１４のスイッチＳ１の投入指令を発し、スイッチＳ１を投入する（ステップＳ４、Ｓ５）。
次に、直流電源３より回路に直流電圧を印加し（ステップＳ６）、電圧計測部７が電圧計４ａ，４ｂの計測電圧を得る（ステップＳ７）。この時、図１のＡ点の対地電圧をＶＡ，Ｂ点の対地電圧をＶＢとする。
【００３１】
次に、抵抗算出部９は、下式（１）、（２）を用いて図１の直流電源３からスイッチＳ１までの抵抗値を算出する（ステップＳ８）。ここで、直流電源３の電圧をＥとし、灯火回路部１４の抵抗をＲＡＬＬとすると、スイッチＳ１投入点までの抵抗は、Ａ側の抵抗値をＲＡ，Ｂ側の抵抗値をＲＢとすると、
【００３２】
ＲＡ＝｜ＲＡＬＬ／Ｅ×ＶＡ｜・・・・・（１）
ＲＢ＝｜ＲＡＬＬ／Ｅ×ＶＢ｜・・・・・（２）
となる。
【００３３】
次に、スイッチ切替部８は装置切替部５に対してスイッチＳ１の解放指令を発し、スイッチＳ２を対象に切替える（ステップＳ９）。その後、ステップＳ５からステップＳ９までを繰り返す。上記処理をすべてのスイッチに対して（図１の例ではＳＬ＝Ｓ６まで）行う（ステップＳ１０）。
【００３４】
さらに、抵抗算出部９は、スイッチ毎に得られたＲＡ，ＲＢからスイッチ間の抵抗を算出する（ステップＳ１１）。例えば、スイッチＳ１とスイッチＳ２間の抵抗値ＲＳ１−Ｓ２は、スイッチＳ１投入時のＢ側抵抗値をＲＢＳ１、スイッチＳ２投入時のＢ側抵抗値をＲＢＳ２とすると、下式（３）
ＲＳ１−Ｓ２＝ＲＢＳ１−ＲＢＳ２・・・・・（３）
から求められ、同様な式ですべてのスイッチ間抵抗を求めることで、灯火回路部１４の抵抗分布を算出することができる。
【００３５】
（効果）
以上説明したように、本実施形態に係る直流抵抗算出装置１０によれば、灯火回路部１４の直流抵抗分布を精度良く求めることができる。これより、工事図面から求めた抵抗値と実際の抵抗値との差の把握や接続誤りを発見することが可能となる。
【００３６】
［第２の実施形態］
（構成）
本実施形態に係る直流抵抗算出装置は、スイッチ切替部８を省略した以外は、第１の実施形態の直流抵抗算出装置１０と同一の構成とされている。
【００３７】
（作用）
本実施形態の直流抵抗算出装置の処理手順を図３に従って説明する。
まず、直流抵抗算出を行う前に、装置切替部５において接続を定電流電源１５から直流抵抗計２に手動で切替えておく。
【００３８】
次に、直流抵抗計測部６が直流抵抗計２を動作させて灯火回路部１４の直流抵抗（ＲＡＬＬ）を計測する（ステップＳ２１）。
【００３９】
計測後、手動で装置切替部５における接続を直流抵抗計２から直流電源３に切替え、スイッチＳ１を投入する。
【００４０】
この時点で、直流抵抗算出部１ａはスイッチＳ１投入待ちの状態とされているが（ステップＳ２２、Ｓ２３）、オペレータが操作画面等からスイッチＳ１を投入したフラグを与えることにより、次ステップへと進行する。
【００４１】
即ち、第１の実施形態と同様に、直流電源３より回路に直流電圧を印加し（ステップＳ２４）、電圧計測部７が電圧計４ａ，４ｂの計測電圧ＶＡ，ＶＢを得る（ステップＳ２５）。
【００４２】
次に、抵抗算出部９は、第１の実施形態と同様に、図１の直流電源３からスイッチＳ１までの抵抗値ＲＡ，ＲＢを算出する（ステップＳ２６）。
【００４３】
次に、対象をスイッチＳ２に切替え（ステップＳ２７）、ステップＳ２３からステップＳ２７までを繰り返す。上記処理をすべてのスイッチに対して（本実施形態ではＳＬ＝Ｓ６）まで行う（ステップＳ２８）。
【００４４】
さらに、抵抗算出部９は、スイッチ毎に得られたＲＡ，ＲＢから、第１の実施形態と同様にしてスイッチ間の抵抗を算出する（ステップＳ２９）。このようにしてすべてのスイッチ間抵抗を求めることで、灯火回路部１４の抵抗分布を算出することができる。
【００４５】
（効果）
本実施形態ではスイッチ切替部８を省略し、装置切替部５おける接続の切換を手動で行っているので、第１の実施形態の方法と比較して、スイッチＳ１〜Ｓ６及び装置切替部５と直流抵抗算出部１ａとの接続手段が不要となる利点がある。
【００４６】
また、本実施形態では、第１の実施形態の方法と比較して手間が生じるが、第１の実施形態の方法と同等の結果を得ることができる。
【００４７】
［第３の実施形態］
（構成）
図４に、本発明の第３の実施形態に係る灯火回路抵抗測定システムの全体構成を示す。
【００４８】
本実施形態に係る灯火回路抵抗測定システムの直流抵抗算出装置２０は、（１）スイッチ切替部８が省略された直流抵抗算出部１ｂを用いていること、（２）切替部分が異なる装置切替部５’を用いていること、（３）灯火回路部１４に対してスイッチＳ１〜Ｓ６の接続部分を切り離していること、の３点以外は、第１の実施形態の直流抵抗算出装置１０と同一の構成とされている。
【００４９】
（作用）
通常運用時においては、図４に示す通り、灯火回路部１４は定電流電源１５に接続されており、かつスイッチＳ１〜Ｓ６は灯火回路部１４と接続されていない。
【００５０】
直流抵抗測定を行う場合は、手動で灯火回路部１４を定電流源１５から切り離した後、装置切替部５’と灯火回路部１４とを接続し、灯火回路部１４を直流抵抗計２と接続する。また、スイッチＳ１からＳ６も同様に手動で灯火回路部１４に接続する。
【００５１】
その後の手順は、第２の実施形態（図３）で説明した通りであり、ステップＳ２１〜ステップＳ２９までを行い、直流抵抗測定が終了したら、通常運用状態に手動で戻す。
【００５２】
（効果）
スイッチＳ１からＳ６を灯火回路部１４に常時接続していると、絶縁劣化が問題になることがあるが、本実施形態によれば測定時のみに接続することにより、絶縁劣化による影響を最小とすることができる。
【００５３】
［第４の実施形態］
（全体構成）
図５に、本発明の第４の実施形態に係る灯火回路抵抗測定システムの全体構成を示す。
【００５４】
本実施形態に係る灯火回路抵抗測定システムは、被測定部分となる灯火回路部１４に対して、直流抵抗算出装置３０を接続して構成されている。
【００５５】
（直流抵抗算出装置３０）
直流抵抗算出装置３０は、直流抵抗を算出するための直流抵抗算出部１ｃと、灯火回路部１４の抵抗を計測する直流抵抗計２と、灯火回路部１４に直流電圧を印加する直流電源３と、灯火回路部１４と機器との接続を切り替える装置切替部５と、灯火回路部１４及び対地間に接続される電圧計ＶＭ１〜ＶＭ７と、を具備している。
【００５６】
（直流抵抗算出部１ｃ）
直流抵抗算出部１ｃは、直流抵抗計２から直流抵抗の情報を得る直流抵抗計測部６と、電圧計ＶＭ１〜ＶＭ７から電圧を得る電圧計測部７’と、回路の抵抗値及び電圧値から回路の直流抵抗を算出する抵抗算出部９と、を備えている。
【００５７】
（電圧計ＶＭ１〜ＶＭ７）
電圧計ＶＭ１〜ＶＭ７はマンホール内に設置されている。そのうちＶＭ１〜ＶＭ６については、ケーブル１３の任意の箇所に設けることができるが、特に正確な抵抗分布が必要となる部分や回路の構成が複雑な部分の近くに設けることが好ましい。これに対して、ＶＭ７は、直流電源３の接続部分に設置する。
【００５８】
（作用）
上記構成を有する直流抵抗算出装置３０の処理手順を図６に従って説明する。
まず、直流抵抗算出を行う前に、装置切替部５において接続を定電流電源１５から直流抵抗計２に手動で切替えておく。
【００５９】
次に、直流抵抗計測部６が直流抵抗計２を動作させて灯火回路部１４の直流抵抗（ＲＡＬＬ）を計測する（ステップＳ３１）。
【００６０】
計測後、手動で装置切替部５における接続を直流抵抗計２から直流電源３に切替える。
【００６１】
切替え後は、電圧計測部７’が電圧計ＶＭ１〜ＶＭ７の計測電圧Ｖ１〜Ｖ７を得る（ステップＳ３２）。
【００６２】
次に、抵抗算出部９は、各電圧計の計測電圧Ｖ１〜Ｖ７及び灯火回路部１４の抵抗から、電圧計間の抵抗を算出する（ステップＳ３３）。
【００６３】
ここで、直流電源３の電圧をＥとし、灯火回路部１４の抵抗をＲＡＬＬとすると、電圧計ＶＭ１と電圧計ＶＭ２間の抵抗値ＲＶＭ１−ＶＭ２は、電圧計ＶＭ１の計測電圧をＶ１，電圧計ＶＭ２の電圧をＶ２とすると、下式（４）から求めることができる。
ＲＶＭ１−ＶＭ２＝ＲＡＬＬ÷Ｅ×（Ｖ２−Ｖ１）・・・・・（４）
【００６４】
また、直流電源３と電圧計ＶＭ１間の抵抗値ＲＥ−ＶＭ１は、下式（５）から求めることができる。
ＲＥ−ＶＭ１＝ＲＡＬＬ÷Ｅ×Ｖ１・・・・・（５）
【００６５】
このようにしてすべての電圧計間抵抗を求めることで、灯火回路部１１の抵抗分布を算出することができる。
【００６６】
（効果）
本実施形態に係る直流抵抗算出装置３０によれば、各電圧計の計測電圧Ｖ１〜Ｖ７を用いることにより、スイッチＳ１〜Ｓ６を用いた第１〜第３実施形態と比較して、１回の測定で灯火回路部１４の直流抵抗分布を精度良く求めることができる。これより、工事図面から求めた抵抗値と実際の抵抗値との差の把握や接続誤りを発見することが可能となる。
【００６７】
［第５の実施形態］
図７に、本発明の第５の実施形態に係る灯火回路抵抗測定システムの全体構成を示す。
【００６８】
本実施形態に係る灯火回路抵抗測定システムの直流抵抗算出装置４０は、（１）切替部分が異なる装置切替部５’を用いていること、（２）灯火回路部１４に対して電圧計ＶＭ１〜ＶＭ６の接続部分を切り離していること、の２点以外は、第４の実施形態の直流抵抗算出装置３０と同一の構成とされている。
【００６９】
（作用）
通常運用時においては、図７に示す通り、灯火回路部１４は定電流電源１５に接続されており、かつ電圧計ＶＭ１〜ＶＭ６は灯火回路部１４と接続されていない。
【００７０】
直流抵抗測定を行う場合は、手動で灯火回路部１４を定電流源１５から切り離した後、装置切替部５’と灯火回路部１４とを接続し、灯火回路部１４を直流抵抗計２と接続する。また、電圧計ＶＭ１〜ＶＭ６も同様に手動で灯火回路部１４に接続する。
【００７１】
その後の手順は、第４の実施形態（図６）で説明した通りであり、ステップＳ３１〜ステップＳ３３までを行い、直流抵抗測定が終了したら、通常運用状態に手動で戻す。
【００７２】
（効果）
灯火回路部１４に電圧計ＶＭ１〜ＶＭ６を常時接続していると、絶縁劣化が問題になることがあるが、本実施形態によれば測定時のみに接続することにより、絶縁劣化による影響を最小とすることができる。
【００７３】
［第６の実施形態］
（全体構成）
図８に、本発明の第６の実施形態に係る灯火回路抵抗測定システムの全体構成を示す。
【００７４】
本実施形態に係る灯火回路抵抗測定システムは、被測定部分となる灯火回路部１４に対して、直流抵抗算出装置５０を接続して構成されている。
【００７５】
（直流抵抗算出装置５０）
直流抵抗算出装置５０は、直流抵抗を算出するための直流抵抗算出部１ｄと、灯火回路部１４に直流電圧を印加する直流電源３と、直流電源３の電流を計測する電流計１６と、灯火回路部１４と機器との接続を切り替える装置切替部５と、灯火回路部１４の電力を計測する電力計ＰＭ１〜ＰＭ６と、を具備している。
【００７６】
（直流抵抗算出部１ｄ）
直流抵抗算出部１ｄは、電流計１６から電流を得る電流計測部１７と、電力計ＰＭ１〜ＰＭ６から電力を得る電力計測部１８と、回路の電流値と電力値から回路の直流抵抗を算出する抵抗算出部９と、を備えている。
【００７７】
（電力計ＰＭ１〜ＰＭ６）
電力計ＰＭ１〜ＰＭ６は、マンホール内に設置されており、ケーブル１３の任意の箇所に設けることができるが、特に正確な抵抗分布が必要となる部分や回路の構成が複雑な部分の近くに設けることが好ましい。
【００７８】
（作用）
上記構成を有する直流抵抗算出装置５０の処理手順を図９に従って説明する。
まず、直流抵抗算出を行う前に、装置切替部５において接続を定電流電源１５から直流電源３に手動で切替えておく。
【００７９】
切替え後、直流電源３から灯火回路部１４へ流れる電流Ｉを電流計１６が計測し、電流計測部１７がその計測値を得る（ステップＳ４１）。
【００８０】
次に、電力計測部１８が電力計ＰＭ１〜ＰＭ６の計測電力Ｐ１〜Ｐ６を得る（ステップＳ４２）。
【００８１】
抵抗算出部９は、各電力計の計測電力Ｐ１〜Ｐ６及び電流値から、電力計間の抵抗を算出する（ステップＳ４３）。
【００８２】
例えば、電力計ＰＭ１と電力計ＰＭ２間の抵抗値ＲＰＭ１−ＰＭ２は、電力計ＰＭ１の計測電力をＰ１，電力計ＰＭ２の電力をＰ２とし、電流をＩとすると、下式（６）から求めることができる。
ＲＰＭ１−ＰＭ２＝（Ｐ１−Ｐ２）÷Ｉ２・・・・・（６）
【００８３】
直流電源３と電力計ＰＭ１間の抵抗値ＲＥ−ＰＭ１は、直流電源３の電圧をＥとすると、下式（７）から求めることができる。
ＲＥ−ＰＭ１＝（Ｅ×Ｉ−Ｐ１）÷Ｉ２・・・・・（７）
さらに、電力計ＰＭ６と直流電源３の間の抵抗値ＲＰＭ６−Ｅは、電力計ＰＭ６の電力をＰ６とすると、下式（８）から求めることができる。
ＲＰＭ６−Ｅ＝Ｐ６÷Ｉ２・・・・・（８）
同様にすべての電力計間抵抗を求めることで、灯火回路部１４の抵抗分布を算出することができる。
【００８４】
（効果）
本実施形態に係る直流抵抗算出装置５０によれば、各電力計ＰＭ１〜ＰＭ６の計測電力Ｐ１〜Ｐ６を用いることにより、スイッチＳ１〜Ｓ６を用いた第１〜第３実施形態と比較して、１回の測定で灯火回路部１４の直流抵抗分布を精度良く求めることができる。これより、工事図面から求めた抵抗値と実際の抵抗値との差の把握や接続誤りを発見することが可能となる。
【００８５】
［第７の実施形態］
図１０に、本発明の第７の実施形態に係る灯火回路抵抗測定システムの全体構成を示す。
【００８６】
本実施形態に係る灯火回路抵抗測定システムの直流抵抗算出装置６０は、（１）灯火回路部１４に対して電力計ＰＭ１〜ＰＭ６の接続部分を切り離していること、（２）直流電源３と灯火回路部１４との接続部分が異なること、の２点以外は、第６の実施形態の直流抵抗算出装置５０と同一の構成とされている。
【００８７】
（作用）
通常運用時においては、図１０に示す通り、灯火回路部１４は定電流電源１５に接続されており、かつ電力計ＰＭ１〜ＰＭ６は灯火回路部１４と接続されていない。
【００８８】
直流抵抗測定を行う場合は、手動で灯火回路部１４を定電流源１５から切り離し、直流電源３と灯火回路部１４とを接続する。また、電力計ＰＭ１〜ＰＭ６も同様に手動で灯火回路部１４に接続する。
【００８９】
その後の手順は、第６の実施形態（図９）で説明した通りであり、ステップＳ４１〜ステップＳ４３までを行い、直流抵抗測定が終了したら、通常運用状態に手動で戻す。
【００９０】
（効果）
灯火回路部１４に電力計ＰＭ１〜ＰＭ６を常時接続していると、絶縁劣化が問題になることがあるが、本実施形態によれば測定時のみに接続することにより、絶縁劣化による影響を最小とすることができる。
【００９１】
第７の実施形態（図１０）では、直流抵抗算出部としてスイッチ切替部８が省略された直流抵抗算出部１ｄを用いたが、第１の実施形態のようにスイッチ切替部８を有する直流抵抗算出部１ａを用いることもできる。
【００９２】
[他の実施形態]
（１）上記実施形態ではゴムトランスで接続される灯火の例を示したが、ゴムトランスを使用しない、例えばＬＥＤ灯火を使用する光源システムにも適用可能である。この場合は、ループ状に接続されるゴムトランスの抵抗をＬＥＤ灯火の抵抗へ置き換えればよい。
【００９３】
（２）ループ状に接続されていれば、灯火に限らず、照明の光源システムにも同様に適用可能である。
【００９４】
（３）第１の実施形態（図１）〜第３の実施形態（図４）では説明上スイッチがＳ１〜Ｓ６の６個のケースを用いて説明したが、スイッチの個数に限定はせず、最低１つ以上のスイッチがあればよい。
【００９５】
（４）第４の実施形態（図５）及び第５の実施形態（図７）では、説明上電圧計がＶＭ１〜ＶＭ７の７個のケースを用いて説明したが、電圧計の個数に限定はせず、最低２つ（灯火回路部１４内に１つ、直流電源３接続部分に１つ）以上の電圧計があればよい。
【００９６】
（５）第６の実施形態（図８）及び第７の実施形態（図１０）では、説明上電力計がＰＭ１〜ＰＭ６の６個のケースを用いて説明したが、電力計の個数に限定はせず、最低１つ以上の電力計があればよい。
【００９７】
（６）第３の実施形態（図４）、第４の実施形態（図５）、第５の実施形態（図７）、第６実施形態（図８）及び第７の実施形態（図１０）では、直流抵抗算出部としてスイッチ切替部８が省略された直流抵抗算出部１ｂ、１ｃ又は１ｄを用いたが、第１の実施形態（図１）のようにスイッチ切替部８を有する直流抵抗算出部１ａを用いることもできる。
【００９８】
（７）第３の実施形態（図４）及び第５の実施形態（図７）では装置切替部５’を用いたが、第１の実施形態の装置切替部５を用いることもできる。
【００９９】
（８）以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１００】
１ａ，１ｂ，１ｃ，１ｄ…直流抵抗算出部
２…直流抵抗計
３…直流電源
４ａ，４ｂ…電圧計
５，５’，５’’ …装置切替部
６…直流抵抗計測部
７，７'…電圧計測部
８…スイッチ切替部
９…抵抗算出部
１０，２０，３０，４０，５０，６０，１００…直流抵抗算出装置
１１…灯火部
１２…ゴムトランス
１３…ケーブル
１４…灯火回路部
１５…定電流電源
１６…電流計
１７…電流計測部
１８…電力計測部
【図１】
2014112498.tif 000003
【図２】
2014112498.tif 000004
【図３】
2014112498.tif 000005
【図４】
2014112498.tif 000006
【図５】
2014112498.tif 000007
【図６】
2014112498.tif 000008
【図７】
2014112498.tif 000009
【図８】
2014112498.tif 000010
【図９】
2014112498.tif 000011
【図１０】
2014112498.tif 000012
【図１１】
2014112498.tif 000013